(57)【要約】【課題】放電管用コネクタからリードに伝達される応力を緩和し、リードとガラス管との間に割れが生じるのを防止する。【解決手段】放電管用コネクタは、放電管(20)を構成するガラス管(21)の外周面(21b)に取り付けられる取付手段と、取付手段から延伸する帯状の導出部(2)と、導出部(2)の先端(2a)に形成され且つガラス管(21)の端部(21a)から外側に向かい延伸するリード(22)に接続される接続部(3)とを備え、取付手段から導出部(2)及び接続部(3)を通じてリード(22)に電力を供給する。帯状に形成されて弾力性を有する導出部(2)及び接続部(3)は、取付手段から応力を受けた際に、容易に変形し、取付手段からリード(22)に伝達される応力を導出部(2)を通じて緩和する。【選択図】図１
2008251535.tif 000002
【特許請求の範囲】
【請求項１】
放電管を構成するガラス管の外周面に取り付けられる取付手段と、該取付手段から延伸する帯状の導出部と、該導出部の先端に形成され且つ前記ガラス管の端部から外側に向かい延伸するリードに接続される接続部とを備え、
前記取付手段から前記導出部及び前記接続部を通じて前記リードに電力を供給することを特徴とする放電管用コネクタ。
【請求項２】
放電管を構成するガラス管の端部の外周面に取り付けられる取付手段と、該取付手段から延伸する帯状の導出部と、該導出部の先端に形成され且つ前記ガラス管の端部から外側に向かい延伸するリードに接続される接続部とを備え、
前記取付手段、前記導出部及び前記接続部を金属により形成したことを特徴とする放電管用コネクタ。
【請求項３】
前記取付手段は、筒体であり、該筒体を前記ガラス管の端部に取り付ける請求項１又は２に記載の放電管用コネクタ。
【請求項４】
前記導出部は、前記筒体の一端から延伸し、
前記導出部の幅は、前記筒体の直径より幅狭に形成される請求項３に記載の放電管用コネクタ。
【請求項５】
前記導出部は、弾力性を有する請求項１〜４の何れか１項に記載の放電管用コネクタ。
【請求項６】
前記導出部の一端に前記取付手段が設けられ、
前記導出部の一端とは反対の他端に前記接続部が設けられる請求項１〜５の何れか１項に記載の放電管用コネクタ。
【請求項７】
前記取付手段、前記導出部及び前記接続部が同一の厚さを有する請求項１〜６の何れか１項に記載の放電管用コネクタ。
【請求項８】
前記筒体の径方向内側に突出し且つ前記ガラス管の端部に当接するストッパを設けた請求項３又は４に記載の放電管用コネクタ。
【請求項９】
前記導出部に折曲部を設けた請求項１〜８の何れか１項に記載の放電管用コネクタ。
【請求項１０】
放電管と、該放電管に取り付けられるコネクタとを備え、
前記放電管は、ガラス管と、該ガラス管の端部から外側に延伸するリードとを備え、
前記コネクタは、前記ガラス管の外周面に取り付けられる取付手段と、該取付手段から延伸する帯状の導出部と、該導出部の先端に形成され且つ前記リードに接続される接続部とを備え、
前記取付手段から前記導出部及び前記接続部を通じて前記リードに電力を供給することを特徴とするコネクタ付き放電管。
【請求項１１】
放電管と、該放電管に取り付けられるコネクタとを備え、
前記放電管は、ガラス管と、該ガラス管の端部から前記ガラス管と反対の方向に延伸するリードとを備え、
前記コネクタは、前記ガラス管の外周面に取り付けられる取付手段と、該取付手段から延伸する帯状の導出部と、該導出部の先端に形成され且つ前記リードに接続される接続部とを備え、
前記取付手段、前記導出部及び前記接続部を金属により形成したことを特徴とするコネクタ付き放電管。
【請求項１２】
前記取付手段は、筒体であり、該筒体を前記ガラス管の端部に取り付ける請求項１０又は１１に記載のコネクタ付き放電管。
【請求項１３】
前記導出部は、前記筒体の一端から延伸し、
前記導出部の幅は、前記筒体の直径より幅狭に形成される請求項１２に記載のコネクタ付き放電管。
【請求項１４】
前記導出部は、弾力性を有する請求項１０〜１３の何れか１項に記載のコネクタ付き放電管。
【請求項１５】
前記導出部の一端に前記取付手段が設けられ、
前記導出部の一端とは反対の他端に前記接続部が設けられる請求項１０〜１４の何れか１項に記載のコネクタ付き放電管。
【請求項１６】
前記取付手段、前記導出部及び前記接続部が同一の厚さを有する請求項１０〜１５の何れか１項に記載のコネクタ付き放電管。
【請求項１７】
前記筒体の径方向内側に突出し且つ前記ガラス管の端部に当接するストッパを設けた請求項１２又は１３に記載のコネクタ付き放電管。
【請求項１８】
前記導出部に折曲部を設けた請求項１０〜１７の何れか１項に記載のコネクタ付き放電管。
【請求項１９】
ガラス管と、該ガラス管の端部から外側に延伸するリードとを備える放電管を準備する工程と、
取付手段と、該取付手段から延伸する帯状の導出部と、該導出部の先端に形成される接続部とを備えるコネクタを準備する工程と、
前記ガラス管の外周面に前記取付手段を取り付けて、前記リードに前記接続部を接続する工程とを含むことを特徴とするコネクタ付き放電管の製法。
【請求項２０】
前記取付手段は、筒体であり、
前記ガラス管の外周面に前記取付手段を取り付ける工程は、前記筒体を前記ガラス管の端部に取り付ける工程を含む請求項１９に記載のコネクタ付き放電管の製法。
【請求項２１】
前記リードに前記接続部を接続する工程は、前記接続部と前記リードとをろう材により固着する工程を含む請求項１９又は２０に記載のコネクタ付き放電管の製法。
【請求項２２】
前記導出部は、弾力性を有する請求項１９〜２１の何れか１項に記載のコネクタ付き放電管の製法。
【請求項２３】
前記導出部は、前記筒体の一端から延伸し、
前記導出部の幅は、前記筒体の直径より幅狭に形成される請求項２０に記載のコネクタ付き放電管の製法。
【請求項２４】
前記導出部の一端に前記取付手段が設けられ、
前記導出部の一端とは反対の他端に前記接続部が設けられる請求項１９〜２３の何れか１項に記載のコネクタ付き放電管の製法。
【請求項２５】
ガラス管と、該ガラス管の端部から外側に延伸するリードとを有する放電管と、
前記ガラス管を内側で保持する筒体と、該筒体から延伸する帯状の導出部と、該導出部の先端に形成され且つ前記リードに接続される接続部とを有するコネクタと、
パネルに配置され且つ前記筒体を挟持する金属製のホルダとを備えることを特徴とする表示装置。
【請求項２６】
前記導出部は、前記筒体の一端から延伸し、
前記導出部の幅は、前記筒体の直径より幅狭に形成される請求項２５に記載の表示装置。
【請求項２７】
前記導出部は、弾力性を有する請求項２５又は２６に記載の表示装置。
【発明の詳細な説明】
【技術分野】
【０００１】
放電管を構成するガラス管の端部に取り付けられる放電管用コネクタ、コネクタ付き放電管及びその製法並びにそのコネクタ付き放電管を備えた表示装置に関する。
【背景技術】
【０００２】
放電管（冷陰極蛍光放電管又はＣＣＦＬ）は、例えば、ＴＶモニター、ノートパソコン又は携帯電話等の表示装置の液晶バックライト光源として使用されている。公知の放電管(20)は、図１４に示すように、アルゴン等の放電用ガス及び水銀を収容する閉鎖空間(23)を形成するガラス管(21)と、カップ状に形成され且つ閉鎖空間(23)内に配置された一対の金属製の電極(24)と、一端が電極(24)に接続され且つ他端がガラス管(21)の端部(21a)から外部に導出される金属製のリード(22)と、ガラス管(21)の内面に被覆され且つ電極(24)の放電により発生する紫外線の照射を受けて発光する蛍光体層(25)とを備える。図示しないが、前述した表示装置では、液晶パネルの背面にガラス管(21)を把持又は挟持する樹脂製のホルダを備え、ホルダにより放電管(20)を導光板に隣接して配置する。ガラス管(21)の両端部(21a)のリード(22)にハーネス線を半田により接続して、表示装置の電源装置から放電管(20)に電力が供給され、裏面側から液晶パネルに光を照射することができる。
【０００３】
これに対し、下記特許文献１は、板状の導電部と、導電部に取り付けられる取付部と、取付部の先端から垂直方向に折曲して形成され且つ放電管のリードを支持する電極保持部とを備える金属製の放電管保持部材（ホルダ）を開示する。電極保持部に形成された溝状の嵌合部に放電管のリードを嵌合し、導電部、取付部及び電極保持部を通じて、放電管に電力を供給することができる。よって、半田付け作業を省略して、放電管と電源装置との接続作業性を向上することができる。しかしながら、放電管のリードを電極保持部に嵌合する際に、リードに応力が加わり、リードとガラス管との間に割れ（クラック）が生じて、放電管内の放電用ガスが長時間にわたり漏洩するスローリークが発生した。特許文献１の電極保持部は、弾性を有する金属により形成された帯体により嵌合部を支持して、放電管のリードを嵌合部に嵌合する際の衝撃を緩和する。しかしながら、電極保持部により放電管のリードを直接支持する特許文献１の放電管保持部材では、リードに加わる応力を十分に低減できず、ガラス管の割れを完全に防止できなかった。
【０００４】
下記特許文献２は、ガラス管の端部に嵌合される金属製のキャップを開示する。キャップの底部に形成された孔部に放電管のリードを挿通して、キャップとリードとを固着する。このようにすれば、上述したような電極保持部に形成された溝状の嵌合部にキャップを嵌合させることによって、キャップを通じて、放電管に電力を供給することができる。しかしながら、ガラス管の端部に金属製のキャップを嵌合して、キャップの内周面とガラス管の外周面とを密着させると、放電管を点灯したとき、キャップによってガラス管の端部が部分的に冷却される。よって、ガラス管内の水銀がガラス管の端部に集中して、放電管が長さ方向に均一な光を放出できず、放電管の寿命も低下した。これに対し、径方向内側に突出する複数の凸部（ビード）をキャップに形成して、キャップとガラス管の端部との間に間隙を形成し、間隙の断熱作用によりキャップによるガラス管の部分的冷却を防止する方法が本出願人により考えられた。下記特許文献３は、目的は異なるが、径方向内側に突出する一対の傾斜凸部を有する口金スリーブを開示する。
【０００５】
【特許文献１】特開平１１−３２９０４７号公報
【特許文献２】実開昭６４−４８８５１号公報
【特許文献３】特開平３−２８５２３１号公報
【発明の開示】
【発明が解決しようとする課題】
【０００６】
しかしながら、上述のように、放電管をホルダに装着する際に、ガラス管の端部に設けたキャップを電極保持部の嵌合部に嵌合させると、キャップに外力が加わってガラス管からずれることがある。特に、キャップとガラス管との間に間隙を形成した場合には、キャップがガラス管からずれやすい。このように、キャップがガラス管からずれると、放電管のリードに応力が加わってガラス管にクラックが発生し易い。
【０００７】
そこで、本発明は、放電管のリードに応力が加わるのを抑制する放電管用コネクタ、コネクタ付き放電管及びその製法並びに表示装置を提供することを目的とする。
【課題を解決するための手段】
【０００８】
本発明の放電管用コネクタは、放電管(20)を構成するガラス管(21)の外周面(21b)に取り付けられる取付手段と、取付手段から延伸する帯状の導出部(2)と、導出部(2)の先端(2a)に形成され且つガラス管(21)の端部(21a)から外側に向かい延伸するリード(22)に接続される接続部(3)とを備える。取付手段から導出部(2)及び接続部(3)を通じてリード(22)に電力を供給する。帯状に形成されて弾力性を有する導出部(2)及び接続部(3)は、取付手段から応力を受けた際に、容易に変形する。よって、ガラス管(21)の外周面(21b)に取付手段を取り付けて、取付手段に応力が生じた際に、取付手段からリード(22)に伝達される応力を導出部(2)を通じて緩和し、リード(22)とガラス管(21)との間に割れが生じるのを防止できる。電源装置に接続された金属製のホルダに放電管用コネクタの取付手段を取り付けて、電源装置からホルダ、取付手段、導出部(2)及び接続部(3)を通じて放電管(20)のリード(22)に電力を供給し、放電管(20)を点灯することができる。取付手段をホルダに取り付ける際に、取付手段に加わる機械的応力は、導出部(2)により緩和され、放電管(20)のリード(22)に大きな応力が伝達されない。
【０００９】
また、本発明のコネクタ付き放電管は、放電管(20)と、放電管(20)に取り付けられるコネクタ(10)とを備える。放電管(20)は、ガラス管(21)と、ガラス管(21)の端部(21a)から外側に延伸するリード(22)とを備える。コネクタ(10)は、ガラス管(21)の外周面(21b)に取り付けられる取付手段と、取付手段から延伸する帯状の導出部(2)と、導出部(2)の先端(2a)に形成され且つリード(22)に接続される接続部(3)とを備える。取付手段から導出部(2)及び接続部(3)を通じてリード(22)に電力を供給する。
本発明のコネクタ付き放電管の製法は、ガラス管(21)と、ガラス管(21)の端部(21a)から外側に延伸するリード(22)とを備える放電管(20)を準備する工程と、取付手段と、取付手段から延伸する帯状の導出部(2)と、導出部(2)の先端(2a)に形成される接続部(3)とを備えるコネクタ(10)を準備する工程と、ガラス管(21)の外周面(21b)に取付手段を取り付けて、リード(22)に接続部(3)を接続する工程とを含む。
本発明の表示装置は、ガラス管(21)、及びガラス管(21)の端部(21a)から外側に延伸するリード(22)を有する放電管(20)と、ガラス管(21)を内側で保持する筒体(1)、筒体(1)から延伸する帯状の導出部(2)、及び導出部(2)の先端(2a)に形成され且つリード(22)に接続される接続部(3)を有するコネクタ(10)と、パネルに配置され且つ筒体(1)を挟持する金属製のホルダ(30)とを備える。
【発明の効果】
【００１０】
放電管とコネクタとの組み立て時又は放電管の表示装置への組み込み時にコネクタから放電管のリードに加わる応力を緩和し、リードとガラス管との間に割れの発生を防止して、信頼性の高い放電管及び光源装置を得ることができる。
【発明を実施するための最良の形態】
【００１１】
表示装置のバックライトに使用される冷陰極蛍光放電管に適用した本発明による放電管用コネクタ、コネクタ付き放電管及びその製法並びに表示装置の実施の形態を図１〜図１３について以下説明する。前記図面に示す放電管(20)は、図１４に示す放電管と同一であり、同一の符号を付すと共に、説明を省略する。
【００１２】
図１に示すように、本発明による放電管用コネクタは、放電管(20)を構成するガラス管(21)の外周面(21b)に取り付けられる取付手段としての筒体(1)と、筒体(1)の一端(1a)から筒体(1)の軸方向外側に延伸する帯状の導出部(2)と、導出部(2)の先端(2a)から折曲して形成された接続部(3)とを備える。筒体(1)、導出部(2)及び接続部(3)は、燐青銅等の弾性に優れる金属により一体に形成され、ニッケルによりめっき処理される。筒体(1)は、図２に示すように、ガラス管(21)を筒体(1)内の所定の位置に保持すると共に、変形に対する機械的強度を増加するため、径方向内側に突出する複数の半球状の凸部(11)を有し、ガラス管(21)の端部(21a)に筒体(1)を装着したとき、筒体(1)とガラス管(21)の端部(21a)との間に間隙(12)を形成する。本実施の形態では、図２及び図３に示すように、筒体(1)の周方向及び長さ方向に各３つの凸部(11)を形成して、合計９つの凸部(11)を設けるが、凸部(11)の数、大きさ及び形状は、筒体(1)の大きさ等の条件により適宜に変更できる。筒体(1)は、合口部(17)を有する間欠環状に形成され、所定の径寸法から拡径させてガラス管(21)に装着したとき、縮径弾性力を有する。よって、筒体(1)は、ガラス管(21)の外周面(21b)に凸部(11)を当接した状態で、ガラス管(21)の端部(21a)に保持される。径方向内側に突出して筒体(1)と一体に形成されるストッパ(16)が筒体(1)の一端(1a)に設けられ、ガラス管(21)に筒体(1)を取り付けるとき、ガラス管(21)の端部(20a)がストッパ(16)に当接する。
【００１３】
導出部(2)は、図４に示すように、筒体(1)及び接続部(3)に対して幅狭に形成され、筒体(1)の軸方向に延伸する帯状の平面形状を有している。このため、導出部(2)は、その延伸方向に対して垂直方向の断面図が小さく、可撓性を有しており、その上面方向又は下面方向に容易に撓む。本実施の形態では、導出部(2)の厚さは、接続部(3)と共に、筒体(1)の厚さと同一であるが、導出部(2)の幅及び長さは、導出部(2)に要求される可撓性の程度に応じて、適宜に決定される。図１及び図４に示すように、接続部(3)は、筒体(1)の中心軸(C1)の延長上に中心軸(C2)を有し且つ放電管(20)のリード(22)の断面積に対して大きな径を有する円形の貫通孔(13)を備える。ガラス管(21)の端部(21a)に筒体(1)を取り付けたとき、ガラス管(21)の端部(21a)から延伸するリード(22)が接続部(3)の貫通孔(13)内に配置される。貫通孔(13)の大きさは、接続部(3)の貫通孔(13)に放電管(20)のリード(22)を挿通する際の作業性及びリード(22)と接続部(3)とをろう材(5)により接続する際の作業性を考慮して、適宜に決定される。
【００１４】
帯状に形成されて弾力性及び可撓性を有する導出部(2)及び接続部(3)は、外力を受けて容易に変形するので、筒体(1)がガラス管(21)からずれたとき、導出部(2)及び接続部(3)が容易に撓み、リード(22)に外力が強く加わることが防止される。この結果、ガラス管(21)に割れ（クラック）が発生することを防止できる。また、径方向内側に突出する複数の凸部(11)を筒体(1)に形成して、筒体(1)とガラス管(21)の端部(21a)との間に間隙(12)を形成すると、間隙(12)の断熱作用により筒体(1)によるガラス管(21)の部分的冷却を防止して、放電管(20)の特性変動を抑制できる。
【００１５】
コネクタ(10)を製造する際に、図５に示すように、プレス成形により金属板から導出部(2)、接続部(3)及びストッパ(16)等が一体に形成された板部材(6)を形成する。次に、曲げ加工により板部材(6)を環状に曲げて、筒体(1)を形成し、接続部(3)及びストッパ(16)を折曲させて、図６に示すコネクタ(10)が形成される。放電管(20)にコネクタ(10)を取り付けて、コネクタ付き放電管(10,20)を組み立てるとき、図７（ａ）及び図７（ｂ）に示すように、ガラス管(21)の端部(21a)にコネクタ(10)の筒体(1)を取り付け、導出部(2)を放電管(20)のリード(22)と並行に配置して、接続部(3)の貫通孔(13)内にリード(22)を挿通させる。このとき、ガラス管(21)の端部(20a)がストッパ(16)に当接するまで、筒体(1)の他端(1c)から放電管(20)を挿入する。ストッパ(16)は、筒体(1)内で放電管(20)の位置決めを行う。
【００１６】
次に、接続部(3)とリード(22)とを半田等のろう材(5)により固着し、コネクタ(10)と放電管(20)のリード(22)とを電気的に接続する。図７（ｃ）及び図７（ｄ）に示すように、少なくとも、接続部(3)の貫通孔(13)とリード(22)の一部とを溶融したろう材(5)中に浸漬し、接続部(3)の貫通孔(13)の内部に付着したろう材(5)を冷却して、接続部(3)とリード(22)とを接続できる。従来では、放電管(20)のリード(22)とハーネス線とを手作業の半田付けにより接続したが、ガラス管(21)の端部(20a)に筒体(1)を取り付けた後に、接続部(3)の貫通孔(13)とリード(22)とを溶融したろう材(5)に浸漬し、冷却すれば、リード(22)とコネクタ(10)とを接続できるので、ろう付け作業が簡単化し、製造コストを低減することができる。
【００１７】
コネクタ付き放電管(10,20)を表示装置に組み込むとき、金属製のホルダ(30)を液晶パネルの背面で導光板に隣接して配置する。ホルダ(30)は、配線を通じて表示装置の電源装置に接続される。図８に示すように、ホルダ(30)は、支持板(31)と、支持板(31)と一体に且つ支持板(31)に対して垂直方向に延伸して形成された一対の板体(32)とを備え、支持板(31)は、図示しない表示装置に固定される。図９に示すように、コネクタ付き放電管(10,20)は、対向して設けられた二対の板体(32)の間に配置される。板体(32)は、コネクタ(10)の筒体(1)を挟持する湾曲面を有し、筒体(1)を押圧すると、板体(32)は、互いに離間する方向に移動し、その後、弾力性により回復してコネクタ付き放電管(10,20)を保持する。図示しないが、ガラス管(21)の両端部(21a)にコネクタ(10)が取り付けられる。ホルダ(30)の板体(32)により筒体(1)を挟持し、表示装置の電源装置からホルダ(30)、筒体(1)、導出部(2)及び接続部(3)を通じて放電管(20)のリード(22)に電力を供給して、放電管(20)を点灯することができる。ホルダ(30)により筒体(1)を挟持するとき、筒体(1)を通じてリード(22)に加わる外力は、導出部(2)及び接続部(3)により緩和され、放電管(20)のガラス管(21)に大きな応力が伝達されない。
【００１８】
本発明の実施の形態は、図１〜図９に示す実施の形態に限定されず、変更が可能である。例えば、図１０に示すように、コネクタ(10)の導出部(2)は、複数の帯部材により形成してもよい。また、接続部(3)の貫通孔(13)は、円形に限定されず、角形に形成してもよい。図１１に示すように、接続部(3)の先端部をＹ字形又はＵ字形に切り欠いた切欠部としてもよい。図１２に示すように、導出部(2)の一部に折曲部(18)を形成してもよい。折曲部(18)は、自身の弾性により、筒体(1)と接続部(3)との間に伝達される応力をより緩和することができる。また、放電管(20)を点灯又は消灯したとき、熱膨張によりガラス管(21)が延伸又は収縮するが、放電管(20)の長さ方向に伸縮する折曲部(18)は、ガラス管(21)の延伸又は収縮分を吸収して、ガラス管(21)の延伸又は収縮によってガラス管(21)に加わる応力を軽減できる。特許文献１の電極保持部と同様に、図１３に示すように、支持板(31)から垂直方向に折曲して形成される帯体(33)をホルダ(30)に形成してもよい。帯体(33)の先端部に形成される支持部(34)によりコネクタ(10)の導出部(2)又は接続部(3)を支持し、接続時の衝撃を緩和して、コネクタ(10)とホルダ(30)とを接続することができる。支持部(34)とコネクタ(10)の導出部(2)又は接続部(3)とをろう材により固着して、ホルダ(30)にコネクタ付き放電管(10,20)を固定できる。図示するコネクタ付き放電管(10,20)では、接続部(3)及びリード(22)は、表示装置に組み込む前にろう材(5)により固着されるが、表示装置に組み込んだ後にろう材(5)により固着してもよい。
【産業上の利用可能性】
【００１９】
本発明は、例えば、液晶ディスプレイのバックライト等の光源装置に使用される冷陰極蛍光放電管に良好に適用できる。
【図面の簡単な説明】
【００２０】
【図１】本発明によるコネクタ付き放電管の一実施の形態を示す断面図
【図２】図１のコネクタを示す断面図
【図３】図１のコネクタを示す別の断面図
【図４】図１のコネクタを示す平面図
【図５】図１のコネクタを形成する板部材を示す平面図
【図６】図１のコネクタを示す斜視図
【図７】接続部とリードとの接続を示す工程図
【図８】ホルダの断面図
【図９】ホルダにコネクタ付き放電管を取り付ける工程を示す斜視図
【図１０】導出部の他の実施の形態を示す斜視図
【図１１】接続部の他の実施の形態を示す斜視図
【図１２】導出部に折曲部を有する図１のコネクタ付き放電管の断面図
【図１３】ホルダの他の実施の形態を示す斜視図
【図１４】従来の放電管を示す断面図
【符号の説明】
【００２１】
(1)・・筒体（取付手段）、  (1a)・・一端、  (2)・・導出部、  (2a)・・先端、  (3)・・接続部、  (10)・・コネクタ、  (11)・・凸部、  (13)・・貫通孔（切欠部）、  (16)・・ストッパ、  (18)・・折曲部、  (20)・・放電管、  (21)・・ガラス管、  (21a)・・端部、  (22)・・リード、  (23)・・閉鎖空間、  (24)・・電極、
【図１】
2008251535.tif 000003
【図２】
2008251535.tif 000004
【図３】
2008251535.tif 000005
【図４】
2008251535.tif 000006
【図５】
2008251535.tif 000007
【図６】
2008251535.tif 000008
【図７】
2008251535.tif 000009
【図８】
2008251535.tif 000010
【図９】
2008251535.tif 000011
【図１０】
2008251535.tif 000012
【図１１】
2008251535.tif 000013
【図１２】
2008251535.tif 000014
【図１３】
2008251535.tif 000015
【図１４】
2008251535.tif 000016